(57)【要約】【課題】煩雑なケーブルを用いることなく、データ処理装置とデータ入力装置との間で静止画、動画、音声等のコンテンツデータの送受信やバッテリ充電が行えるようにすることである。【解決手段】データ処理装置１００とデータ入力装置２００とを備え、両装置間で静止画、動画、音声等のコンテンツデータが無線で送受信可能であると共に両装置の動作を制御する為の各種制御信号も無線で送受信可能となっている。データ処理装置１００はデータ入力装置２００から電力供給の要請信号を受信すると電力供給用電磁波を出力し、更に、データ入力装置２００から無線送信されたバッテリ２０９の充電量が規定値に満たないと電力供給用電磁波をデータ入力装置２００に出力する。データ入力装置２００は、当該電力供給用電磁波の受信によって生じる誘導起電力をバッテリ２０９の充電に充てる。【選択図】          図１
2004234186.tif 000002
【特許請求の範囲】
【請求項１】
静止画、動画又は音声を表すコンテンツデータを入力するデータ入力装置と、該コンテンツデータに対してデータ処理を行うデータ処理装置とを備えて構成されるデータ処理システムであって、
前記データ入力装置は、前記データ処理装置との間で前記コンテンツデータの送受信を無線により行う第１の無線通信制御部を備え、
前記データ処理装置は、前記データ入力装置との間で前記コンテンツデータの送受信を無線により行う第２の無線通信制御部を備えたことを特徴とするデータ処理システム。
【請求項２】
前記データ処理装置は、前記データ入力装置内に誘導起電力を生じさせて該データ入力装置に電力供給を行うための電力供給用電磁波を第１のアンテナを介して出力する第１の電源制御部を備え、
前記データ入力装置は、前記第１の電源制御部から出力された前記電力供給用電磁波を受信して誘導起電力を発生させる第２のアンテナと、該第２のアンテナに生じた誘導起電力によって自装置に電力供給を行う第２の電源制御部とを備えたことを特徴とする請求項１に記載のデータ処理システム。
【請求項３】
前記データ入力装置は、前記データ処理装置内に誘導起電力を生じさせて該データ処理装置に電力供給を行うための電力供給用電磁波を第２のアンテナを介して出力する第２の電源制御部を備え、
前記データ処理装置は、前記第２の電源制御部から出力された前記電力供給用電磁波を受信して誘導起電力を発生させる第１のアンテナと、該第１のアンテナに生じた誘導起電力によって自装置に電力供給を行う第１の電源制御装置とを備えたことを特徴とする請求項１に記載のデータ処理システム。
【請求項４】
前記第１のアンテナは、前記データ入力装置との間で前記電力供給用電磁波と前記コンテンツデータとを送受信し、
前記第２のアンテナは、前記データ処理装置との間で前記電力供給用電磁波と前記コンテンツデータとを送受信し、
前記第１の無線通信制御部は、前記第１のアンテナを介して送受信された前記電力供給用電磁波と前記コンテンツデータとを各々選別して該コンテンツデータのみを抽出し、
前記第２の無線通信制御部は、前記第２のアンテナを介して送受信された前記電力供給用電磁波と前記コンテンツデータとを各々選別して該コンテンツデータのみを抽出し、
前記第１の電源制御部は、前記第１のアンテナを介して送受信された前記電力供給用電磁波と前記コンテンツデータとを各々選別して該電力供給用電磁波のみを抽出し、
前記第２の電源制御部は、前記第２のアンテナを介して送受信された前記電力供給用電磁波と前記コンテンツデータとを各々選別して該電力供給用電磁波のみを抽出することを特徴とする請求項２又は３に記載のデータ処理システム。
【請求項５】
前記データ処理装置は、
充電可能な第１のバッテリと、
外部電源又は前記データ入力装置から出力された前記電力供給用電磁波により電力の供給が行われている際に自装置の電力消費量が予め設定された規定値を下回ると、当該供給中の電力を前記第１のバッテリの充電に充てるよう前記第１の電源制御部を制御する第１の制御部と、
を備えたことを特徴とする請求項３又は４に記載のデータ処理システム。
【請求項６】
前記データ入力装置は、
充電可能な第２のバッテリと、
外部電源又は前記データ処理装置から出力された前記電力供給用電磁波により電力の供給が行われている際に自装置の電力消費量が予め設定された規定値を下回ると、当該供給中の電力を前記第２のバッテリの充電に充てるよう前記第２の電源制御部を制御する制御する第２の制御部と、
を備えたことを特徴とする請求項２又は４に記載のデータ処理システム。
【請求項７】
前記第１の制御部は、前記データ入力装置との間で前記コンテンツデータの送受信が行われていない場合及び／又は自装置が動作中でない場合に前記第１のバッテリが充電完了状態の際、電源オン状態、電源オフ状態又はスリープ状態のうち何れか指定された状態に自装置を設定することを特徴とする請求項５に記載のデータ処理システム。
【請求項８】
前記第２の制御部は、前記データ処理装置との間で前記コンテンツデータの送受信が行われていない場合及び／又は自装置が動作中でない場合に前記第２のバッテリが充電完了状態の際、電源オン状態、電源オフ状態又はスリープ状態のうち何れか指定された状態に自装置を設定することを特徴とする請求項６に記載のデータ処理システム。
【請求項９】
前記第１の制御部は、前記データ入力装置から供給中の電力を前記第１のバッテリの充電に充てている際、該第１のバッテリが充電完了状態に到ると、この旨を前記データ入力装置に向けて送信するよう前記第１の無線通信制御部を制御し、
前記第２の制御部は、充電可能な第２のバッテリを備え、前記第１の制御部によって送信された前記第１のバッテリが充電完了状態である旨を受信すると、前記第２のバッテリの充電を行うよう前記第２の電源制御部を制御することを特徴とする請求項５又は７に記載のデータ処理システム。
【請求項１０】
前記第２の制御部は、前記データ処理装置から供給中の電力を前記第２のバッテリの充電に充てている際、該第２のバッテリが充電完了状態に到ると、この旨を前記データ処理装置に向けて送信するよう前記第２の無線通信制御部を制御し、
前記第１の制御部は、充電可能な第１のバッテリを備え、前記第２の制御部によって送信された前記第２のバッテリが充電完了状態である旨を受信すると、前記第１のバッテリの充電を行うよう前記第１の電源制御部を制御することを特徴とする請求項６又は８に記載のデータ処理システム。
【請求項１１】
前記第２の制御部は、前記第１のバッテリの充電完了後に行った前記第２のバッテリの充電が完了した際、電源オン状態、電源オフ状態又はスリープ状態のうち何れか指定された状態に自装置を設定することを特徴とする請求項９に記載のデータ処理システム。
【請求項１２】
前記第１の制御部は、前記第２のバッテリの充電完了後に行った前記第１のバッテリの充電が完了した際、電源オン状態、電源オフ状態又はスリープ状態のうち何れか指定された状態に自装置を設定することを特徴とする請求項１０に記載のデータ処理システム。
【請求項１３】
前記第１の制御部は、前記データ入力装置との間で前記コンテンツデータの送受信が現在行われているか否かにかかわらず前記第１のバッテリの充電量が規定値を下回った場合又は該第１のバッテリを充電する旨の指示が入力されると、電力供給を要請する信号を前記データ入力装置に送信するよう前記第１の無線通信制御部を制御し、
前記第２の制御部は、前記第１の制御部により送信された前記電力供給を要請する信号を受信すると、前記データ処理装置との間で前記コンテンツデータの送受信が現在行われているか否かにかかわらず、前記電力供給用電磁波を該データ処理装置に向けて出力することを特徴とする請求項５、７、９、１１のうち何れか一項に記載のデータ処理システム。
【請求項１４】
前記第２の制御部は、前記データ処理装置との間で前記コンテンツデータの送受信が現在行されているか否かにかかわらず前記第２のバッテリの充電量が規定値を下回った場合又は該第２のバッテリを充電する旨の指示が入力されると、電力供給を要請する信号を前記データ処理装置に送信するよう前記第２の無線通信制御部を制御し、
前記第１の制御部は、前記第２の制御部により送信された前記電力供給を要請する信号を受信すると、前記データ入力装置との間で前記コンテンツデータの送受信が現在行われているか否かにかかわらず、前記電力供給用電磁波を該データ入力装置に向けて出力することを特徴とする請求項６、８、１０、１２のうち何れか一項に記載のデータ処理システム。
【請求項１５】
前記第１の制御部は、前記データ入力装置を制御するための制御信号を該データ入力装置に向けて送信するよう前記第１の無線通信制御部を制御し、
前記第２の制御部は、前記第１の制御部により送信された制御信号に応じて自装置を動作させることを特徴とする請求項１〜１４のうち何れか一項に記載のデータ処理システム。
【請求項１６】
前記第２の制御部は、前記データ処理装置を制御するための制御信号を該データ処理装置に向けて送信するよう前記第２の無線通信制御部を制御し、
前記第１の制御部は、前記第２の制御部により送信された制御信号に応じて自装置を動作させることを特徴とする請求項１〜１５のうち何れか一項に記載のデータ処理システム。
【請求項１７】
前記第１の制御部は、前記データ入力装置を制御するための制御信号を該データ入力装置に向けて送信するよう前記第１の無線通信制御部を制御し、
前記第２の制御部は、前記データ処理装置を制御するための制御信号を該データ処理装置に向けて送信するよう前記第２の無線通信制御部を制御することを特徴とする請求項１〜１６のうち何れか一項に記載のデータ処理システム。
【請求項１８】
前記第１の制御部は、前記第２の制御部により送信された制御信号に応じて自装置を動作させ、
前記第２の制御部は、前記第１の制御部により送信された制御信号に応じて自装置を動作させることを特徴とする請求項１７に記載のデータ処理システム。
【請求項１９】
前記データ処理装置及びデータ入力装置は、
前記第１及び第２の無線通信制御部は、
前記コンテンツデータの送受信を、赤外光を用いて行うことを特徴とする請求項１〜３、５〜１８の何れか一項に記載のデータ処理システム。
【発明の詳細な説明】
【０００１】
【発明の属する技術分野】
本発明は、静止画、動画、音声等のコンテンツデータを入力するデータ入力装置と、このようなコンテンツデータに対してデータ処理を行うデータ処理装置とによって成るデータ処理システムに関する。
【０００２】
【従来の技術】
近時、デジタルカメラ等のデータ入力装置により作成された静止画、動画、音声等のコンテンツデータを、ＰＣ（Ｐｅｒｓｏｎａｌ  Ｃｏｍｐｕｔｅｒ）を介することなく、プリンタ等のデータ処理装置に直接送信し、当該データ入力装置から当該データ処理装置の動作を制御することにより、この送信されたコンテンツデータに対するデータ処理（例えば、プリントアウトやデータ処理装置に接続中の他のＡＶ機器への出力等。）が可能なデータ処理システムが実現されつつある（例えば、特許文献１参照。）。
【０００３】
【特許文献１】
特願平９−３３４８２５号公報
【０００４】
【発明が解決しようとする課題】
しかし、上記従来の技術には、以下に示す問題点がある。すなわち、データ入力装置とデータ処理装置との間で行われる通信はケーブルを介して行われるため、種々の困難が生じ得る。
例えば、ケーブル接続部における接点破損や、当該接続部における静電気によるメモリ障害等が生じる可能性がある。
更に、種々のケーブルがデータ処理装置やデータ入力装置に接続されているため、煩雑であり、扱いが不便である。特に、データ処理装置とデータ入力装置との間で通信やバッテリ充電を行うためのケーブルが必要であり、煩雑で扱いにくい。
更に、ケーブルがノイズを拾う可能性があるので、ケーブルに十分なシールド処理を施す必要があるが、このようなシールド処理されたケーブルは重く、扱いが困難となる。
すなわち、上記従来のデータ処理システムでは、煩雑なケーブルを用いなければデータ処理装置とデータ入力装置との間で通信やバッテリ充電が行えない。
【０００５】
本発明の課題は、静止画、動画、音声等のコンテンツデータを入力するデータ入力装置と、このコンテンツデータに対してデータ処理を行うデータ処理装置とによって成るデータ処理システムにおいて、煩雑なケーブルを用いることなく、データ処理装置とデータ入力装置との間で通信やバッテリ充電が行えるようにすることである。
【０００６】
【課題を解決するための手段】
上記課題を解決するため、請求項１に記載の発明は、
静止画、動画又は音声を表すコンテンツデータを入力するデータ入力装置と、該コンテンツデータに対してデータ処理を行うデータ処理装置とを備えて構成されるデータ処理システムであって、
前記データ入力装置は、前記データ処理装置との間で前記コンテンツデータの送受信を無線により行う第１の無線通信制御部を備え、
前記データ処理装置は、前記データ入力装置との間で前記コンテンツデータの送受信を無線により行う第２の無線通信制御部を備えたことを特徴とする。
【０００７】
更に、請求項２に記載の発明のように、請求項１に記載の発明において、
前記データ処理装置は、前記データ入力装置内に誘導起電力を生じさせて該データ入力装置に電力供給を行うための電力供給用電磁波を第１のアンテナを介して出力する第１の電源制御部を備え、
前記データ入力装置は、前記第１の電源制御部から出力された前記電力供給用電磁波を受信して誘導起電力を発生させる第２のアンテナと、該第２のアンテナに生じた誘導起電力によって自装置に電力供給を行う第２の電源制御部とを備えるのが好ましい。
【０００８】
更に、請求項３に記載の発明のように、請求項１に記載の発明において、
前記データ入力装置は、前記データ処理装置内に誘導起電力を生じさせて該データ処理装置に電力供給を行うための電力供給用電磁波を第２のアンテナを介して出力する第２の電源制御部を備え、
前記データ処理装置は、前記第２の電源制御部から出力された前記電力供給用電磁波を受信して誘導起電力を発生させる第１のアンテナと、該第１のアンテナに生じた誘導起電力によって自装置に電力供給を行う第１の電源制御装置とを備えるのが好ましい。
【０００９】
更に、請求項４に記載の発明のように、請求項２又は３に記載の発明において、
前記第１のアンテナは、前記データ入力装置との間で前記電力供給用電磁波と前記コンテンツデータとを送受信し、
前記第２のアンテナは、前記データ処理装置との間で前記電力供給用電磁波と前記コンテンツデータとを送受信し、
前記第１の無線通信制御部は、前記第１のアンテナを介して送受信された前記電力供給用電磁波と前記コンテンツデータとを各々選別して該コンテンツデータのみを抽出し、
前記第２の無線通信制御部は、前記第２のアンテナを介して送受信された前記電力供給用電磁波と前記コンテンツデータとを各々選別して該コンテンツデータのみを抽出し、
前記第１の電源制御部は、前記第１のアンテナを介して送受信された前記電力供給用電磁波と前記コンテンツデータとを各々選別して該電力供給用電磁波のみを抽出し、
前記第２の電源制御部は、前記第２のアンテナを介して送受信された前記電力供給用電磁波と前記コンテンツデータとを各々選別して該電力供給用電磁波のみを抽出するのが好ましい。
【００１０】
更に、請求項５に記載の発明のように、請求項３又は４に記載の発明において、
前記データ処理装置は、
充電可能な第１のバッテリと、
外部電源又は前記データ入力装置から出力された前記電力供給用電磁波により電力の供給が行われている際に自装置の電力消費量が予め設定された規定値を下回ると、当該供給中の電力を前記第１のバッテリの充電に充てるよう前記第１の電源制御部を制御する第１の制御部と、
を備えるのが好ましい。
【００１１】
更に、請求項６に記載の発明のように、請求項２又は４に記載の発明において、
前記データ入力装置は、
充電可能な第２のバッテリと、
外部電源又は前記データ処理装置から出力された前記電力供給用電磁波により電力の供給が行われている際に自装置の電力消費量が予め設定された規定値を下回ると、当該供給中の電力を前記第２のバッテリの充電に充てるよう前記第２の電源制御部を制御する制御する第２の制御部と、
を備えるのが好ましい。
【００１２】
更に、請求項７に記載の発明のように、請求項５に記載の発明において、
前記第１の制御部は、前記データ入力装置との間で前記コンテンツデータの送受信が行われていない場合及び／又は自装置が動作中でない場合に前記第１のバッテリが充電完了状態の際、電源オン状態、電源オフ状態又はスリープ状態のうち何れか指定された状態に自装置を設定するのが好ましい。
【００１３】
更に、請求項８に記載の発明のように、請求項６に記載の発明において、
前記第２の制御部は、前記データ処理装置との間で前記コンテンツデータの送受信が行われていない場合及び／又は自装置が動作中でない場合に前記第２のバッテリが充電完了状態の際、電源オン状態、電源オフ状態又はスリープ状態のうち何れか指定された状態に自装置を設定するのが好ましい。
【００１４】
更に、請求項９に記載の発明のように、請求項５又は７に記載の発明において、
前記第１の制御部は、前記データ入力装置から供給中の電力を前記第１のバッテリの充電に充てている際、該第１のバッテリが充電完了状態に到ると、この旨を前記データ入力装置に向けて送信するよう前記第１の無線通信制御部を制御し、
前記第２の制御部は、充電可能な第２のバッテリを備え、前記第１の制御部によって送信された前記第１のバッテリが充電完了状態である旨を受信すると、前記第２のバッテリの充電を行うよう前記第２の電源制御部を制御するのが好ましい。
【００１５】
更に、請求項１０に記載の発明のように、請求項６又は８に記載の発明において、
前記第２の制御部は、前記データ処理装置から供給中の電力を前記第２のバッテリの充電に充てている際、該第２のバッテリが充電完了状態に到ると、この旨を前記データ処理装置に向けて送信するよう前記第２の無線通信制御部を制御し、
前記第１の制御部は、充電可能な第１のバッテリを備え、前記第２の制御部によって送信された前記第２のバッテリが充電完了状態である旨を受信すると、前記第１のバッテリの充電を行うよう前記第１の電源制御部を制御するのが好ましい。
【００１６】
更に、請求項１１に記載の発明のように、請求項９に記載の発明において、
前記第２の制御部は、前記第１のバッテリの充電完了後に行った前記第２のバッテリの充電が完了した際、電源オン状態、電源オフ状態又はスリープ状態のうち何れか指定された状態に自装置を設定するのが好ましい。
【００１７】
更に、請求項１２に記載の発明のように、請求項１０に記載の発明において、
前記第１の制御部は、前記第２のバッテリの充電完了後に行った前記第１のバッテリの充電が完了した際、電源オン状態、電源オフ状態又はスリープ状態のうち何れか指定された状態に自装置を設定するのが好ましい。
【００１８】
更に、請求項１３に記載の発明のように、請求項５、７、９、１１のうち何れか一項に記載の発明において、
前記第１の制御部は、前記データ入力装置との間で前記コンテンツデータの送受信が現在行われているか否かにかかわらず前記第１のバッテリの充電量が規定値を下回った場合又は該第１のバッテリを充電する旨の指示が入力されると、電力供給を要請する信号を前記データ入力装置に送信するよう前記第１の無線通信制御部を制御し、
前記第２の制御部は、前記第１の制御部により送信された前記電力供給を要請する信号を受信すると、前記データ処理装置との間で前記コンテンツデータの送受信が現在行われているか否かにかかわらず、前記電力供給用電磁波を該データ処理装置に向けて出力するのが好ましい。
【００１９】
更に、請求項１４に記載の発明のように、請求項６、８、１０、１２のうち何れか一項に記載の発明において、
前記第２の制御部は、前記データ処理装置との間で前記コンテンツデータの送受信が現在行されているか否かにかかわらず前記第２のバッテリの充電量が規定値を下回った場合又は該第２のバッテリを充電する旨の指示が入力されると、電力供給を要請する信号を前記データ処理装置に送信するよう前記第２の無線通信制御部を制御し、
前記第１の制御部は、前記第２の制御部により送信された前記電力供給を要請する信号を受信すると、前記データ入力装置との間で前記コンテンツデータの送受信が現在行われているか否かにかかわらず、前記電力供給用電磁波を該データ入力装置に向けて出力するのが好ましい。
【００２０】
更に、請求項１５に記載の発明のように、請求項１〜１４のうち何れか一項に記載の発明において、
前記第１の制御部は、前記データ入力装置を制御するための制御信号を該データ入力装置に向けて送信するよう前記第１の無線通信制御部を制御し、
前記第２の制御部は、前記第１の制御部により送信された制御信号に応じて自装置を動作させるのが好ましい。
【００２１】
更に、請求項１６に記載の発明のように、請求項１〜１５のうち何れか一項に記載の発明において、
前記第２の制御部は、前記データ処理装置を制御するための制御信号を該データ処理装置に向けて送信するよう前記第２の無線通信制御部を制御し、
前記第１の制御部は、前記第２の制御部により送信された制御信号に応じて自装置を動作させるのが好ましい。
【００２２】
更に、請求項１７に記載の発明のように、請求項１〜１６のうち何れか一項に記載の発明において、
前記第１の制御部は、前記データ入力装置を制御するための制御信号を該データ入力装置に向けて送信するよう前記第１の無線通信制御部を制御し、
前記第２の制御部は、前記データ処理装置を制御するための制御信号を該データ処理装置に向けて送信するよう前記第２の無線通信制御部を制御するのが好ましい。
【００２３】
更に、請求項１８に記載の発明のように、請求項１７に記載の発明において、
前記第１の制御部は、前記第２の制御部により送信された制御信号に応じて自装置を動作させ、
前記第２の制御部は、前記第１の制御部により送信された制御信号に応じて自装置を動作させるのが好ましい。
【００２４】
更に、請求項１９に記載の発明のように、請求項１〜３、５〜１８の何れか一項に記載の発明において、
前記第１及び第２の無線通信制御部は、
前記コンテンツデータの送受信を、赤外光を用いて行うのが好ましい。
【００２５】
従って、ケーブル（有線）を用いることなく、無線によりデータ処理装置とデータ入力装置との間でコンテンツデータが送受信可能となるので、ケーブルを用いた場合にケーブル接続部で生じる可能性がある接点破損や、当該接続部を介して生じ得る静電気によるメモリ障害等が回避可能となる。
更に、ケーブルを用いずにデータ処理装置とデータ入力装置とが接続可能となるので、使用するケーブル数が少なくて済み、扱い易くなる。
更に、データ処理装置からデータ入力装置へ電力供給する際にも、電力供給用電磁波によって電力供給が行われるので、電力供給用のケーブルを用いる必要がなく、使用するケーブル数が更に少なくて済み、より扱い易いものとなる。
更に、ノイズ対策として十分なシールド処理が施された重くて扱いにくいケーブルを用いることがないので、使い勝手の良いものとなる。
更に、データ入力装置からデータ処理装置の動作が制御できるだけでなく、データ処理装置からもデータ入力装置の動作が制御できるので、より幅広い利用が可能となる。
更に、データ入力装置からデータ処理装置にコンテンツデータの送信が行えるだけでなく、データ処理装置からデータ入力装置に対してもコンテンツデータの送信が行えるので、より幅広い利用が可能となる。
【００２６】
【発明の実施の形態】
＜第１の実施例＞
以下、図１〜図４を参照して、本発明を適用したデータ処理システム１について詳細に説明する。
【００２７】
図１、図２を参照してデータ処理システム１の構成を説明する。図１に示すように、データ処理システム１は、データ処理装置１００とデータ入力装置２００とにより構成される。以下、データ処理装置１００を複合型プリンタに、データ入力装置２００をデジタルカメラに想定して説明する。
【００２８】
まず、データ処理装置１００の構成を説明する。
データ処理装置１００は、アンテナ１０１、無線通信制御部１０２、プロセッサ１０３、プリンタ部１０４、スキャナ部１０５、電源１０６、電源制御部１０７、アンテナ１０８、制御部１０９、メモリ１１０、操作部１１１、表示部１１２、音声出力部１１３、ＡＶ端子１１４、ディスク部１１５、有線通信部１１６、バッテリ１１７等を備えて構成される。
【００２９】
アンテナ１０１は、静止画、動画又は音声等のコンテンツを表す各種デジタル信号や各種アナログ信号、各種制御信号（データ処理装置１００やデータ入力装置２００を制御するための信号。）、更には、データ処理装置１００やデータ入力装置２００のバッテリ充電量等を表す信号を送受信するためのものであり、無線通信制御部１０２は、アンテナ１０１を介して送受信される上記各種信号に対する変調・復調を行う。
【００３０】
プロセッサ１０３は、静止画、動画等の画像データや音声データの圧縮・伸長を行い、プリンタ部１０４は、プロセッサ１０３により出力された画像データをプリント出力し、スキャナ部１０５は、図示しない読み取り部にセットされた原稿（例えば、写真や本など。）から画像を読み取って画像データを出力する。
なお、データ処理装置１００は、図示しない音声入力部を備えても良く、この場合、プロセッサ１０３は、当該音声入力部から出力された音声データを圧縮する。ここで、上記音声入力部は、マイクと当該マイクから入力されたアナログ音声信号をデジタル音声データに変換するＡ／Ｄ変換器とを備える（何れも、図示略。）。
【００３１】
電源１０６は、外部ＡＣ電源から所定のＤＣ電源に変換し、データ処理装置１００の各部に電力を供給する。また、電源１０６は、外部ＡＣ電源から電力供給の有無を検出し、当該検出結果を制御部１０９に送信する。
【００３２】
電源制御部１０７は、データ入力装置２００に電力供給するための電磁波（変動する電場（マイクロウェーブ）や磁場（磁力線）であり、以下、電力供給用電磁波という。）をアンテナ１０８を介して出力する。
【００３３】
ここで、データ入力装置２００は、後述するアンテナ２０７を備え、アンテナ１０８から電力供給用電磁波が出力されると、データ入力装置２００では当該電力供給用電磁波によって当該アンテナ２０７に誘導起電力が生じ、これにより、データ入力装置２００に電力が供給され、バッテリ２０９に対する充電が可能となる。
また、電力供給用電磁波が磁力線（すなわち、変動する磁場。）の場合、マイクロウェーブに比べ、電力供給先のデータ入力装置２００が至近距離（例えば、数センチメートル。）に存在しないと電力供給が困難となるが、当該磁力線が周辺機器に与える影響を十分抑制できると共に、無線により電力供給を行うという本発明のメリットを享受できる。
【００３４】
電源制御部１０７は、制御部１０９による制御に基づき電源１０６から供給される電力をバッテリ１１７やデータ処理装置１００の各構成部に振り分け、バッテリ１１７から供給される電力をデータ処理装置１００の各構成部に供給する。ここで、バッテリ１１７は、充電可能なバッテリであり、データ処理装置１００に対し着脱自在に設けられている。
【００３５】
電源制御部１０７は、バッテリ１１７の充電量を検出すると、当該検出結果を制御部１０９に送信する。
【００３６】
制御部１０９は、メモリ１１０に予め格納された各種プログラムを実行してデータ処理装置１００を統括的に制御する。制御部１０９は、特に、図３のフローチャートに示す充電処理を行うための充電プログラムと、図４のフローチャートに示す電力供給処理を行うための電力供給プログラムとを実行する。
【００３７】
制御部１０９は、操作部１１１を介して電源１０６及びバッテリ１１７がオン／オフ／スリープの何れかの状態に設定されると、当該設定に応じて電源１０６を制御する。
【００３８】
ここで、電源１０６及びバッテリ１１７におけるオン／オフ／スリープの各状態について説明する。オン状態とは、データ処理装置１００の電源が投入され（すなわち、図示しない電源スイッチがオンされ）、データ処理装置１００が有する機能が何れも使用可能な状態であり、オフ状態とは、データ処理装置１００の電源が断となっており（すなわち、上記電源スイッチがオフされ）、データ処理装置１００が有する機能の何れも使用不可能な状態であり、スリープ状態とは、低電力モードによる状態であり、データ処理装置１００が有する何れかの入力キーが操作されると、当該キー操作がトリガとなりデータ処理装置１００はオン状態となってデータ処理装置１００が有する全ての機能が使用可能となる。スリープ状態からオン状態に移行する際、制御部１０９は、データ処理装置１００をオフ状態の場合と同様に一から起動させることなく（すなわち、ブート等の初期処理を行うことなく）短時間でオン状態に移行できる。
【００３９】
制御部１０９は、電源制御部１０７に問い合わせて、データ処理装置１００における電力消費量を算出する。
【００４０】
制御部１０９は、データ入力装置２００から送信された電力供給の要請信号を受信すると、データ入力装置２００との間で通信中であるか否かにかかわらず、電源制御部１０７を制御してアンテナ１０８から電力供給用電磁波を出力する。この時、制御部１０９は、電力供給用電磁波を出力した旨の信号をデータ入力装置２００に送信する。
【００４１】
メモリ１１０は、制御部１０９により実行される各種プログラムや当該プログラム実行時に必要な各種データを格納する。特に、メモリ１１０は、上記充電プログラム、電力供給プログラムを格納する。
【００４２】
操作部１１１は、図２に示すデータ処理装置１００の操作面に設けられた各種入力キーを備え、当該入力キーが押下されることによりデータ処理装置１００やデータ入力装置２００の動作制御を行うための各種指示入力が行われる。操作部１１１は、特に、電源１０６及びバッテリ１１７をオン／オフ／スリープの何れかの状態に設定するための電源選択部（図示略。）を備える。
【００４３】
表示部１１２は、図２に示すデータ処理装置１００の操作面に設けられたＬＣＤ（Ｌｉｑｕｉｄ  Ｃｒｙｓｔａｌ  Ｄｉｐｌａｙ）等の表示装置を備え、制御部１０９から送信される各種表示データを当該表示装置に表示する。
【００４４】
音声出力部１１３は、図２に示すデータ処理装置１００の操作面に設けられたスピーカを備え、制御部１０９から送信された音声データをアナログデータに変換して当該スピーカから放音する。
【００４５】
ＡＶ端子１１４は、図２に示すデータ処理装置１００の操作面に設けられ、外部ＡＶ機器との間でデータ（画像等のコンテンツだけでなく、データ処理装置１００や現在接続中の外部ＡＶ機器の動作制御を行うための各種指示信号等を含む。）の送受信を行うための端子である。
【００４６】
ディスク部１１５は、図２に示すデータ処理装置１００の操作面に設けられたディスク装着口を介して装着されたＤＶＤ−ＲやＣＤ−Ｒ等のディスクに対し、データの読み取りや書き込みを行う。
【００４７】
有線通信部１１６は、データ入力装置２００との間で有線によるデータの送受信を行うためのインターフェースを備える。例えば、有線通信部１１６は、ＵＳＢ（Ｕｎｉｖｅｒｓａｌ  Ｓｅｒｉａｌ  Ｂｕｓ）やＬＡＮ（Ｌｏｃａｌ  Ａｒｅａ  Ｎｅｔｗｏｒｋ）等によりデータの送受信を行うためのインターフェースを備える。
【００４８】
次に、データ入力装置２００の構成を説明する。本第１の実施例においては、データ入力装置２００をデジタルカメラとして説明する。
【００４９】
図１に示すように、データ入力装置２００は、レンズ２０１、ＣＣＤ２０２、プロセッサ２０３、無線通信制御部２０４、アンテナ２０５、データ格納部２０６、アンテナ２０７、電源制御部２０８、バッテリ２０９、制御部２１０、メモリ２１１、操作部２１２、表示部２１３、有線通信部２１４等を備えて構成される。
【００５０】
ＣＣＤ２０２は、レンズ２０１を介して入射された撮像画像を電気信号に光電変換し、更に当該電気信号をデジタルデータに変換し、プロセッサ２０３は、ＣＣＤ２０２や無線通信制御部２０４から入力された画像や音声等のコンテンツデータの圧縮・伸長を行う。
なお、データ入力装置２００は、図示しない音声入力部を備えても良く、この場合、プロセッサ２０３は、当該音声入力部から出力された音声データを圧縮する。ここで、上記音声入力部は、マイクと当該マイクから入力されたアナログ音声信号をデジタル音声データに変換するＡ／Ｄ変換器とを備える（何れも、図示略。）。
【００５１】
無線通信制御部２０４は、アンテナ２０５を介して送受信される静止画、動画又は音声等のコンテンツデータを表す各種デジタル信号や各種アナログ信号、各種制御信号（データ処理装置１００やデータ入力装置２００の動作を指示するための信号。）、更には、データ入力装置２００やデータ処理装置１００のバッテリ充電量を表す信号に対する変調・復調を行う。
【００５２】
データ格納部２０６は、プロセッサ２０３から入力された画像データや音声データを格納する書き込み／読み出し自在なメモリである。
【００５３】
アンテナ２０７は、データ処理装置１００のアンテナ１０８から出力された電力供給用電磁波を受信すると誘導起電力を生じ、当該起電力を電源制御部２０８に出力する。
【００５４】
電源制御部２０８は、制御部２１０による制御に基づきアンテナ２０７に生じた誘導起電力をバッテリ２０９やデータ入力装置２００の各構成部に振り分け、バッテリ２０９から供給される電力をデータ入力装置２００の各構成部に供給する。バッテリ２０９は、充電可能なバッテリであり、データ入力装置２００に対し着脱自在に設けられている。
【００５５】
電源制御部２０８は、制御部２１０による制御に基づき、アンテナ１０８から出力された電力供給用電磁波によりアンテナ２０７に生じた誘導起電力をバッテリ２０９の充電に充てる。
【００５６】
電源制御部２０８は、バッテリ２０９の充電量を検出し、当該検出結果を制御部２１０に送信する。
【００５７】
制御部２１０は、メモリ２１１に格納された各種プログラムを実行してデータ入力装置２００を統括的に制御する。制御部２１０は、特に、図３のフローチャートに示す充電処理を行うための充電プログラムを実行する。
【００５８】
制御部２１０は、操作部２１２を介してバッテリ２０９がオン／オフ／スリープの何れかの状態に設定されると、当該設定に応じて電源制御部２０８を制御する。
【００５９】
制御部２１０は、電源制御部２０８に問い合わせて、データ入力装置２００における電力消費量を算出する。
【００６０】
制御部２１０は、電源制御部２０８により検出されたバッテリ２０９の充電量をデータ処理装置１００に送信する。また、制御部２１０は、バッテリ２０９の充電量が規定値未満であるか否かを判定し、当該充電量が当該規定値未満の場合、バッテリ２０９を充電するための電力供給用電磁波の出力をデータ処理装置１００に要請する（すなわち、電力供給の要請信号をデータ処理装置１００に送信する。）。
【００６１】
制御部２１０は、データ処理装置１００から電力供給用電磁波を送信した旨の信号を受信すると、電源制御部２０８を制御してアンテナ２０７に生じた誘導起電力をバッテリ２０９の充電に充てる。
【００６２】
メモリ２１１は、制御部２１０により実行される各種プログラムや当該プログラム実行時に必要な各種データを格納する。特に、メモリ２１１は、上記充電プログラムを格納する。
【００６３】
操作部２１２は、図示しない各種入力キー、例えば、撮影指示を入力するためのレリーズスイッチやバッテリ２０９をオン／オフ／スリープの何れかの状態に設定するための電源選択部（何れも図示略。）を備える。操作部２１２は、これら各種入力キーが押下されることによりデータ入力装置２００やデータ処理装置１００の動作制御を行うための各種指示入力が行われる。
【００６４】
表示部２１３は、図示しないＬＣＤ等の表示装置を備え、制御部２１０から送信される各種表示データを当該表示装置に表示する。また、表示部２１３は、レンズ２０１を介して入力された撮像画像を連続的に表示するファインダとしての機能も有する。
【００６５】
有線通信部２１４は、データ処理装置１０との間で有線によるデータの送受信を行うためのインターフェースを備える。例えば、有線通信部２１４は、ＵＳＢ（Ｕｎｉｖｅｒｓａｌ  Ｓｅｒｉａｌ  Ｂｕｓ）やＬＡＮ（Ｌｏｃａｌ  Ａｒｅａ  Ｎｅｔｗｏｒｋ）等によりデータの送受信を行うためのインターフェースを備える。
【００６６】
次に、図３、図４を参照してデータ処理システム１の動作を説明する。図３のフローチャートに示す充電処理は、データ処理装置１００及びデータ入力装置２００により実行可能であるが、図４のフローチャートに示す電力供給処理はデータ処理装置１００によって実行可能となっている。
【００６７】
なお、データ入力装置２００が外部ＡＣ電源からの電力供給が可能な場合（図６に示すデータ入力装置２００ａ参照。）、データ入力装置２００は上記電力供給処理が実行可能となる。
【００６８】
まず、図３を参照して充電処理について説明する。
制御部１０９は、電源制御部１０７に問い合わせて外部ＡＣ電源から電力供給されているか否かを判定し（ステップＳ１０）、電力供給されていると判定した場合（ステップＳ１０；Ｙｅｓ）、データ処理装置１００における電力消費量が規定値以上であるか否かを監視する（ステップＳ１１）。ここで、電力消費量が規定値以上の場合には、データ処理装置１００が現在動作中であることを意味する。
【００６９】
なお、データ入力装置２００の場合、制御部２１０は、ステップＳ１０において、電源制御部２０８に問い合わせて電力供給用電磁波を受信したことによる誘導起電力がアンテナ２０７に生じたか否かによって、データ入力装置２００に電力が供給されているか否かを判定する。
【００７０】
ステップＳ１１の段階で、電力消費量が規定値以上でない場合、すなわち、データ処理装置１００が動作中でない場合（ステップＳ１１；Ｎｏ）、制御部１０９は、バッテリ１１７が充電完了状態であるか否か、すなわち、バッテリ１１７の充電率が１００％であるか否かを判定する（ステップＳ１２）。
【００７１】
ステップＳ１２の段階で、バッテリ１１７が充電完了状態の場合（ステップＳ１２；Ｙｅｓ）、制御部１０９は、操作部１１１を介して入力された指示に応じて電源１０６及びバッテリ１１７をオン／オフ／スリープの何れかの状態に設定する。
【００７２】
ステップＳ１０に戻って説明する。電力供給されていないと判定した場合（ステップＳ１０；Ｎｏ）、制御部１０９は、バッテリ１１７の充電量が規定値以上であるか否かを判定する（ステップＳ１６）。
【００７３】
ステップＳ１６の段階で、バッテリ１１７の充電量が規定値以上の場合（ステップＳ１６；Ｙｅｓ）、制御部１０９は、ステップＳ１０に再度移行して外部ＡＣ電源から電力供給の有無を再び判定し、バッテリ１１７の充電量が規定値に達していない場合（ステップＳ１６；Ｎｏ）、ステップＳ１５に移行して、通信状態表示部１１を介して入力された指示に応じて電源１０６及びバッテリ１１７をオン／オフ／スリープの何れかの状態に設定する。
【００７４】
ステップＳ１６；Ｎｏの分岐の際、データ処理装置１００の消費電力は規定値を超えていないが（ステップＳ１１；Ｎｏ）、制御部１０９は、更に、データ入力装置２００との間で通信が行われていない場合に限ってステップＳ１５に移行し、電源１０６及びバッテリ１１７をオン／オフ／スリープの何れかの状態に設定するようにしても良い。
【００７５】
ステップＳ１２に戻って説明する。バッテリ１１７が充電完了状態でない場合、すなわち、バッテリ１１７の充電率が１００％未満の場合（ステップＳ１２；Ｎｏ）、制御部１０９は、外部ＡＣ電源から供給される電力によってバッテリ１１７を充電する（ステップＳ１３）。この時、制御部１０９は、充電時間を設定するためのタイマー（例えば、１０分。）をセットする。
【００７６】
その後、制御部１０９は、タイマーがタイムアップするまで（例えば、１０分経過するまで）バッテリ１１７に対する充電を継続し（ステップＳ１４；Ｎｏ）、タイマーがタイムアップすると（ステップＳ１４；Ｙｅｓ）、ステップＳ１２に移行してバッテリ１１７が充電完了状態であるか否かを判定し、バッテリ１１７が充電完了状態となるまでステップＳ１２〜Ｓ１４の処理を繰り返す。
【００７７】
次に、図４を参照して電力供給処理について説明する。データ処理装置１００は、現在、データ入力装置２００との間でデータの送受信を行っているものとする。
制御部１０９は、相手装置（この場合、データ入力装置２００。）のバッテリ２０９が充電完了状態であるか否かをデータ入力装置２００から送信されたバッテリ２０９の充電量を示す信号に基づいて判定し（ステップＳ２０）、バッテリ２０９が充電完了状態の場合（ステップＳ２０；Ｙｅｓ）、自装置（この場合、データ処理装置１００。）のバッテリ１１７が充電完了状態であるか否かを判定する（ステップＳ２３）。
【００７８】
ステップＳ２０に戻って説明する。バッテリ２０９が充電完了状態ではない場合（ステップＳ２０；Ｎｏ）、制御部１０９は、アンテナ１０８を介して電力供給用電磁波を出力し、アンテナ２０７に誘導起電力を発生させてデータ入力装置２００のバッテリ２０９を充電可能とする（ステップＳ２１）。この時、制御部１０９は、データ入力装置２００の制御部２１０に充電を行う旨の信号を送信し、制御部２１０は、当該信号を受信すると、電源制御部２０８を制御してアンテナ２０７に生じた誘導起電力をバッテリ２０９の充電に充てる。
【００７９】
ステップＳ２１の処理の際、制御部１０９は、充電時間を設定するためのタイマー（例えば、１０分。）をセットする。
【００８０】
その後、制御部１０９は、タイマーがタイムアップするまで（例えば、１０分経過するまで）バッテリ２０９に対する充電を継続し（ステップＳ２２；Ｎｏ）、タイマーがタイムアップすると（ステップＳ２２；Ｙｅｓ）、ステップＳ２０に移行してバッテリ２０９が充電完了状態であるか否かを判定し、バッテリ２０９が充電完了状態となるまでステップＳ２０〜Ｓ２２の処理を繰り返す。
【００８１】
バッテリ２０９が充電完了状態になると、制御部１０９は、充電を終了する旨の信号をデータ入力装置２００に送信し、制御部２１０は、当該信号を受信すると、電源制御部２０８を制御してバッテリ２０９に対する充電を終了させる。
この時、制御部２１０は、操作部２１２を介して入力された指示に応じてバッテリ２０９をオン／オフ／スリープの何れかの状態に設定するようにしても良い。
【００８２】
ステップＳ２３に戻って説明する。バッテリ１１７が充電完了状態の場合（ステップＳ２３；Ｙｅｓ）、制御部１０９は、操作部１１１を介して入力された指示に応じて電源１０６及びバッテリ１１７をオン／オフ／スリープの何れかの状態に設定する。
【００８３】
ステップＳ２３の段階で、バッテリ１１７が充電完了状態ではない場合（ステップＳ２３；Ｎｏ）、制御部１０９は、外部ＡＣ電源から供給される電力によりバッテリ１１７を充電させる（ステップＳ２４）。この時、制御部１０９は、充電時間を設定するためのタイマー（例えば、１０分。）をセットする。
【００８４】
その後、制御部１０９は、タイマーがタイムアップするまで（例えば、１０分経過するまで）バッテリ１１７に対する充電を継続し（ステップＳ２５；Ｎｏ）、タイマーがタイムアップすると（ステップＳ２５；Ｙｅｓ）、ステップＳ２３に移行してバッテリ１１７が充電完了状態であるか否かを判定し、バッテリ１１７が充電完了状態となるまでステップＳ２３〜Ｓ２５の処理を繰り返す。
【００８５】
ステップＳ２３の段階で、バッテリ１１７が充電完了状態の場合（ステップＳ２３；Ｙｅｓ）、操作部１１１を介して入力され指示に応じて電源１０６及びバッテリ１１７をオン／オフ／スリープの何れかの状態に設定する（ステップＳ２６）。
【００８６】
以上説明したように、本第１の実施例におけるデータ処理システム１は、データ処理装置１００とデータ入力装置２００とを備え、データ処理装置１００とデータ入力装置２００との間で、静止画、動画、音声等のコンテンツデータが無線で送受信可能であると共に、データ処理装置１００やデータ入力装置２００の動作を制御する為の各種制御信号も無線で送受信可能となっている。
データ処理装置１００は、データ入力装置２００から電力供給の要請信号を受信すると、データ入力装置２００との間で通信が行われているか否かにかかわらず、電力供給用電磁波を出力する。更に、データ処理装置１００は、データ入力装置２００から無線送信されたバッテリ２０９の充電量が規定値に満たない場合、電力供給用電磁波をデータ入力装置２００に出力する。
データ入力装置２００は当該電力供給用電磁波の受信によって生じる誘導起電力をバッテリ２０９の充電に充てる。
【００８７】
従って、データ処理システム１では、ケーブル（有線）を用いることなく、無線によりデータ処理装置１００とデータ入力装置２００との間でコンテンツデータが送受信可能となるので、ケーブルを用いた場合にケーブル接続部で生じる可能性がある接点破損や、当該接続部を介して生じ得る静電気によるメモリ障害等が回避可能となる。
更に、ケーブルを用いずにデータ処理装置１００とデータ入力装置２００とが接続可能となるので、使用するケーブル数が少なくて済み、扱い易くなる。
更に、データ処理装置１００からデータ入力装置２００へ電力供給する際にも、電力供給用電磁波によって電力供給が行われるので、電力供給用のケーブルを用いる必要がなく、使用するケーブル数が更に少なくて済み、より扱い易いものとなる。
更に、ノイズ対策として十分なシールド処理が施された重くて扱いにくいケーブルを用いることがないので、使い勝手の良いものとなる。
更に、データ入力装置２００からデータ処理装置１００の動作が制御できるだけでなく、データ処理装置１００からもデータ入力装置２００の動作が制御できるので、より幅広い利用が可能となる。
更に、データ入力装置２００からデータ処理装置１００にコンテンツデータの送信が行えるだけでなく、データ処理装置１００からデータ入力装置２００に対してもコンテンツデータの送信が行えるので、より幅広い利用が可能となる。
【００８８】
なお、本第１の実施例における記述は、本発明に係るデータ処理システムの一例を示すものであり、これに限定されるものではない。本第１の実施例におけるデータ処理システム１の細部構成及び詳細動作に関しては、本発明の趣旨を逸脱しない範囲で適宜変更可能である。
【００８９】
本実施例では、データ処理装置１００を複合型プリンタに想定し、データ入力装置２００をデジタルカメラに想定したが、これに限るものではない。
【００９０】
また、データ処理装置１００では、静止画、動画又は音声等のコンテンツを表す各種デジタル信号や各種アナログ信号、各種制御信号（データ処理装置１００やデータ入力装置２００の動作を制御するための信号。）、更には、データ処理装置１００やデータ入力装置２００のバッテリ充電量等を表す信号を送受信するためのアンテナ１０１と、データ入力装置２００に電力供給する電力供給用電磁波を出力するためのアンテナ１０８とを別々に設けたが、これに限らず、一つのアンテナにまとめて用いるようにしても良い。更に、データ入力装置２００では、静止画、動画又は音声等のコンテンツを表す各種デジタル信号や各種アナログ信号、各種制御信号（データ処理装置１００やデータ入力装置２００の動作を指示するための信号。）、更には、データ入力装置２００やデータ処理装置１００のバッテリ充電量を表す信号を送受信するためのアンテナ２０５と、アンテナ１０８から出力された電力供給用電磁波を受信して誘導起電力を生じるアンテナ２０７とを別々に設けたが、これに限らず、一つのアンテナにまとめて用いるようにしても良い。
【００９１】
また、データ処理装置１００は、外部ＡＣ電源（電源１０６）とバッテリ１１７の両方から給電可能であり、データ入力装置２００はバッテリ２０９のみから給電可能であるとしたが、それに限らず、データ処理装置１００は、バッテリのみから電力供給が可能であり、データ入力装置２００は、バッテリと外部ＡＣ電源の両方から電力供給が可能なように構成するようにしても良い。
【００９２】
以下、第２の実施例として、データ処理装置１００においてアンテナ１０１とアンテナ１０８とが一つのアンテナにまとめれられ、更に、データ入力装置２００においてアンテナ２０５とアンテナ２０７とが一つのアンテナにまとめられて構成されたデータ処理システム１ａについて説明し（図５参照。）、次いで、第３の実施例として、外部ＡＣ電源とバッテリ２０９の両方から電力供給が可能なデータ入力装置２００ａと、バッテリ１１７のみから電力供給が可能なデータ処理装置１００ｂとを備えて構成されるデータ処理システム１ｂについて説明する（図６参照。）。
【００９３】
＜第２の実施例＞
まず、第２の実施例について詳細に説明する。
図５に、データ処理システム１ａの内部構成を示す。なお、データ処理システム１ａの各構成部のうち、データ処理システム１と同じ構成部については、特に説明が必要な個所を除き、簡略化のため、同一符号を付して説明を省略する。
【００９４】
図５に示すように、データ処理システム１ａは、データ処理装置１００ａとデータ入力装置２００とを備えて構成される。
データ処理装置１００ａは、アンテナ１１８を備え、静止画、動画又は音声等のコンテンツを表す各種デジタル信号や各種アナログ信号、各種制御信号（データ処理装置１００やデータ入力装置２００の動作を制御するための信号。）、更には、データ処理装置１００ａやデータ入力装置２００ａのバッテリ充電量等を表す信号を送受信すると共に、データ入力装置２００に電力供給するための電力供給用電磁波を出力する。
【００９５】
データ入力装置２００ａは、静止画、動画又は音声等のコンテンツを表す各種デジタル信号や各種アナログ信号、各種制御信号（データ処理装置１００やデータ入力装置２００の動作を指示するための信号。）、更には、データ入力装置２００やデータ処理装置１００のバッテリ充電量を表す信号を送受信すると共に、アンテナ１０８から出力された電力供給用電磁波を受信して誘導起電力を発生させる。
【００９６】
この場合、無線通信制御部１０２及び電源制御部１０７と、無線通信制御部２０４及び電源制御部２０８とは、それぞれ、送受信する信号や電磁波のスペクトル及びパワーの違いを利用して、静止画、動画又は音声等のコンテンツを表す各種デジタル信号や各種アナログ信号、各種制御信号（データ処理装置１００やデータ入力装置２００の動作を指示するための信号。）、更には、自装置や外部機器のバッテリ充電量を表す信号と、電力供給用電磁波とを各々選別して送受信する。
【００９７】
これにより、データ処理装置１００ａ及びデータ入力装置２００ａは、各々アンテナを一つずつ備えるだけでなので、機器構成が簡略化されると共に、コスト削減が可能となる。
【００９８】
＜第３の実施例＞
次に、第３の実施例について詳細に説明する。図６に、データ処理システム１ｂの内部構成を示す。
なお、データ処理システム１ａの各構成部のうち、データ処理システム１と同じ構成部については、特に説明が必要な個所を除き、簡略化のため、同一符号を付して説明を省略する。
【００９９】
図６に示すように、データ処理システム１ｂは、データ処理装置１００ｂとデータ入力装置２００ｂとを備えて構成される。
【０１００】
まず、データ処理装置１００ｂについて説明する。
データ処理装置１００ｂは、バッテリ１１７のみから電力供給が可能であり、データ入力装置２００ｂは、外部ＡＣ電源（電源２１５）とバッテリ２０９の両方により電力供給が可能となっている。
【０１０１】
データ処理装置１００ｂは、データ入力装置２００ｂから供給される電力供給用電磁波によりバッテリ１１７の充電が可能となっている。
【０１０２】
すなわち、データ入力装置２００ｂから出力された電力供給用電磁波を受信することによりアンテナ１０８に誘導起電力が生じ、これにより、データ処理装置１００ｂに電力が供給され、バッテリ１１７に対する充電が可能となる。
【０１０３】
この場合、電源制御部１０７は、制御部１０９による制御に基づきアンテナ１０８に生じた誘導起電力をバッテリ１１７やデータ処理装置１００ｂの各構成部に振り分け、バッテリ１１７から供給される電力をデータ処理装置１００ｂの各構成部に供給する。
【０１０４】
電源制御部１０７は、制御部１０９による制御に基づき、アンテナ２０７から出力された電力供給用電磁波によりアンテナ１０８に生じた誘導起電力をバッテリ１１７の充電に充てる。
【０１０５】
電源制御部１０７は、バッテリ１１７の充電量を検出し、当該検出結果を制御部１０９に送信する。
【０１０６】
また、制御部１０９は、メモリ１１０に格納された各種プログラムを実行してデータ処理装置１００ｂを統括的に制御する。ここで、上記充電プログラム（図３のフローチャート参照。）は実行可能のままであるが、上記電力供給プログラム（図４のフローチャート参照。）は実行されない。
【０１０７】
制御部１０９は、操作部１１１を介してバッテリ１１７がオン／オフ／スリープの何れかの状態に設定されると、当該設定に応じて電源制御部１０７を制御する。
【０１０８】
制御部１０９は、電源制御部１０７に問い合わせて、データ処理装置１００ｂにおける電力消費量を算出する。
【０１０９】
制御部１０９は、電源制御部１０７により検出されたバッテリ１１７の充電量をデータ入力装置２００ｂに送信する。また、制御部１０９は、バッテリ１１７の充電量が規定値未満であるか否かを判定し、当該充電量が当該規定値未満の場合、バッテリ１１７を充電するため、電力供給の要請信号をデータ入力装置２００ｂに送信する。
【０１１０】
制御部１０９は、データ入力装置２００ｂから電力供給用電磁波を送信した旨の信号を受信すると、電源制御部１０７を制御してアンテナ１０８に生じた誘導起電力をバッテリ１１７の充電に充てる。
【０１１１】
メモリ１１０は、制御部１０９により実行される各種プログラムや当該プログラム実行時に必要な各種データを格納する。特に、メモリ１１０は、上記充電プログラムを格納する。
【０１１２】
次に、データ入力装置２００ｂについて説明する。
【０１１３】
電源２１５は、外部ＡＣ電源から所定のＤＣ電源に変換し、データ入力装置２００ｂの各部に電力を供給する。また、電源２１５は、外部ＡＣ電源から電力供給の有無を検出し、当該検出結果を制御部２１０に送信する。
【０１１４】
電源制御部２０８は、データ処理装置１００に電力供給するための電力供給電磁波をアンテナ２０７を介して出力する。
【０１１５】
電源制御部２０８は、制御部２１０による制御に基づき電源２１５から供給される電力をバッテリ２０９やデータ入力装置２００ｂの各構成部に振り分け、バッテリ２０９から供給される電力をデータ入力装置２００ｂの各構成部に供給する。
【０１１６】
電源制御部２０８は、バッテリ２０９の充電量を検出し、当該検出結果を制御部２１０に送信する。
【０１１７】
制御部２１０は、メモリ２１１に予め格納された各種プログラムを実行してデータ入力装置２００ｂを統括的に制御する。制御部２１０は、特に、上記充電プログラム（図３のフローチャート参照。）と電力供給プログラム（図４のフローチャート参照。）とを実行する。
【０１１８】
この場合、図４のフローチャートにおける「相手装置」とはデータ処理装置１００ｂであり、「自装置」とはデータ入力装置２００ｂである。
【０１１９】
制御部２１０は、操作部２１２を介して電源２１５及びバッテリ２０９がオン／オフ／スリープの何れかの状態に設定されると、当該設定に応じて電源２１５を制御する。
【０１２０】
制御部２１０は、データ処理装置１００ｂから送信された電力供給の要請信号を受信すると、データ処理装置１００ｂとの間で通信中であるか否かにかかわらず、電源制御部２０８を制御してアンテナ２０７から電力供給用の電磁波を出力する。この時、制御部２１０は、電力供給用電磁波を出力した旨の信号をデータ処理装置１００ｂに送信する。
【０１２１】
制御部２１０は、図７に示すバッテリモニタ表示画面２１３ａを表示部２１３に表示する。これにより、データ入力装置２００ｂから自装置だけでなく、データ処理装置１００の充電量も容易に確認可能となるので、ユーザは、この充電量を目安にデータ処理装置１００ｂやデータ入力装置２００ｂに処理を実行させるか否かの判断が可能となり、利便性の向上が図られる。
【０１２２】
ここで、バッテリモニタ表示画面２１３ａの表示内容について説明する。
図７に示すように、例えば、バッテリモニタ表示画面２１３ａには、データ処理装置１００ｂとの間で通信中であるか否かが通信状態表示部１１に表示され、データ入力装置２００ｂの充電量が自装置充電量表示部１２に表示され、データ処理装置１００ｂに電力供給用電磁波を送信中であるか否かが電力送信状況表示部１３に表示され、データ処理装置１００ｂの充電量が相手装置充電量表示部１４に表示されている。通信状態表示部１１は、例えば、点灯の場合、通信中である旨を示し、消灯の場合、非通信中である旨を示す。電力送信状況表示部１３は、点灯の場合、通信中である旨を示し、消灯の場合、非通信中である旨を示す。また、自装置充電量表示部１２、相手装置充電量表示部１４は、何れも、符号Ｆ（Ｆｕｌｌ）により充電率１００％（すなわち、充電完了状態）を表し、符号Ｅ（Ｅｍｐｔｙ）により充電率０％を表す。
【０１２３】
メモリ２１１は、制御部２１０により実行される各種プログラムや当該プログラム実行時に必要な各種データを格納する。特に、メモリ２１１は、上記充電プログラム、電力供給プログラムを格納する。
【０１２４】
これにより、データ入力装置２００ｂからデータ処理装置１００ｂに対しても充電が可能となり、便利である。
【０１２５】
なお、データ処理装置１００ｂは、バッテリ１１７から供給される電力のみで駆動するとしたが、これに限らず、外部ＡＣ電源（電源１０６）を備えるようにしても良い。この場合、データ処理装置１００ｂの制御部１０９は、上記電力供給プログラムが実行可能となり、データ入力装置２００ｂに対する充電が行えることとなり、利便性の向上が図られる。
【０１２６】
以上説明した第１〜第３の実施例では、静止画、動画又は音声等のコンテンツを表す各種デジタル信号や各種アナログ信号、各種制御信号（例えば、データ処理装置１００やデータ入力装置２００等を制御するための信号。）、更には、バッテリ充電量等を表す信号を、電波に乗せて送受信するものとしたが、特に、第１及び第３の実施例においては、これに限らず、赤外光（ＩｒＲＣ（Ｉｎｆｒａｒｅｄ  Ｒｅｍｏｔｅ  Ｃｏｎｔｒｏｌ））や音波に乗せて送受信するようにしても良い。この場合、データ処理システム１、１ｂはアンテナ１０１、２０５に代えて赤外光が送受信可能な素子（図示略。）や音波が送受信可能な装置（図示略。）をそれぞれ備え、無縁通信制御部１０２、２０４は信号を赤外光や音波に乗せて送受信するための変調・復調機能を有する。
【０１２７】
また、電力供給用電磁波は強度が大きので、他の機器に与える影響を抑制するため、（１）当該電力供給用電磁波を送信するアンテナ１０８、１１８に指向性を設けるのが好ましく、更に、（２）電力供給用電磁波が受信されていないような場合には当該電力供給用電磁波の出力を停止するような機能を設けるのがより好ましい。この指向性は、静止画、動画又は音声等のコンテンツを表す各種デジタル信号等を送受信するためのアンテナ１０１、２０５が有する指向性と同一である。
【０１２８】
また、バッテリ１１７、２０９の充電完了状態を、充電率１００％としたが、これに限らず、８０％、９０％等、自由に設定可能である。この場合、ユーザにより指定された充電率を用いるようにしても良い。
【０１２９】
【発明の効果】
本発明によれば、ケーブル（有線）を用いることなく、無線によりデータ処理装置とデータ入力装置との間でコンテンツデータが送受信可能となるので、ケーブルを用いた場合にケーブル接続部で生じる可能性がある接点破損や、当該接続部を介して生じ得る静電気によるメモリ障害等が回避可能となる。
更に、ケーブルを用いずにデータ処理装置とデータ入力装置とが接続可能となるので、使用するケーブル数が少なくて済み、扱い易くなる。
更に、データ処理装置からデータ入力装置へ電力供給する際にも、電力供給用電磁波によって電力供給が行われるので、電力供給用のケーブルを用いる必要がなく、使用するケーブル数が更に少なくて済み、より扱い易いものとなる。
更に、ノイズ対策として十分なシールド処理が施された重くて扱いにくいケーブルを用いることがないので、使い勝手の良いものとなる。
更に、データ入力装置からデータ処理装置の動作が制御できるだけでなく、データ処理装置からもデータ入力装置の動作が制御できるので、より幅広い利用が可能となる。
更に、データ入力装置からデータ処理装置にコンテンツデータの送信が行えるだけでなく、データ処理装置からデータ入力装置に対してもコンテンツデータの送信が行えるので、より幅広い利用が可能となる。
【図面の簡単な説明】
【図１】本発明を適用したデータ処理システムの構成を示すブロック図である。
【図２】図１に示すデータ処理装置の操作面を示す図である。
【図３】本発明を適用したデータ処理システムによる充電処理を説明するフローチャートである。
【図４】本発明を適用したデータ処理システムによる電力供給処理を説明するフローチャートである。
【図５】本発明を適用した他のデータ処理システムの構成を示すブロック図である。
【図６】本発明を適用した他のデータ処理システムの構成を示すブロック図である。
【図７】図６に示すデータ入力装置の表示装置が表示するバッテリモニタ表示画面を示す図である。
【符号の説明】
１、１ａ、１ｂ  データ処理システム
１００、１００ａ、１００ｂ  データ処理装置
１１  通信状態表示部
１２  自装置充電量表示部
１３  電力送信状況表示部
１４  相手装置充電量表示部
１０１、１０８、１１８、２０５、２０７、２５７  アンテナ
１０２  無線通信制御部
１０３  プロセッサ
１０４  プリンタ部
１０５  スキャナ部
１０６、２１５  電源
１０７、２０８  電源制御部
１０９、２１０  制御部
１１０、２１１  メモリ
１１１、２１２  操作部
１１２、２１３  表示部
１１３  音声出力部
１１４  ＡＶ端子
１１５  ディスク部
１１６、２１４  有線通信部
１１７、２０９  バッテリ
２００、２００ａ、２００ｂ  データ入力装置
２０１  レンズ
２０２  ＣＣＤ
２０３  プロセッサ
２０４  無線通信制御部
２０６  データ格納部
２１３ａ  バッテリモニタ表示画面
【図１】
2004234186.tif 000003
【図２】
2004234186.tif 000004
【図３】
2004234186.tif 000005
【図４】
2004234186.tif 000006
【図５】
2004234186.tif 000007
【図６】
2004234186.tif 000008
【図７】
2004234186.tif 000009